(57)【特許請求の範囲】
【請求項１】
底板（１）と前面板（２）と後面板（３）及び両側面板（４）で囲まれた開口する収納部（Ａ）に、シート状物（Ｓ）が巻かれたロール状物品（Ｒ）を収納し、上記後面板（３）の上縁から蓋板（５）が連設されたロール状物品収納箱において、
前記側面板（４）の内面に沿って折り込まれる一対の連結片（６，７）を、前記前面板（２）及び後面板（３）に折目線（ｄ）を介して連設し、これら連結片（６，７）のどちらか一方に折曲片（１１）を、両連結片（６，７）の折り込みに伴い前記収納部（Ａ）内へ向け突出状に折れ曲がるように上記側面板（４）の幅寸法よりも長く形成し、
前記連結片（６，７）のどちらか一方と折曲片（１１）との間には、これら両連結片（６，７）の折り込みに伴い該折曲片（１１）が連結片（６，７）のどちらか一方と分離して前記収納部（Ａ）内へ向け突出状に折れ曲がるように切目線（ｇ）を設け、
前記切目線（ｇ）の途中に、前記連結片（６，７）のどちらか一方と折曲片（１１）を部分的に繋ぐ連結部（ｈ）を設けることにより、
前記側面板（４）の内面に、前記収納部（Ａ）内へ突出するように折り曲げられて前記ロール状物品（Ｒ）の端部外周面と当接する折曲片（１１）を設けるとともに、
前記両側面板（４）の先端には、その内面を前記折曲片（１１）の上端縁（１１ｃ）に当接させる折り込みフラップ（１３）が連設されてなることを特徴とするロール状物品収納箱。
【発明の詳細な説明】
【技術分野】
【０００１】
本発明は、例えば合成樹脂製のラッピングフィルムやアルミホイルなどの金属箔やクッキングペーパーなどの連続するシート状物が巻回されたロール状物品を収納して分配するためのロール状物品収納箱に関する。
詳しくは、底板と前面板と後面板及び両側面板で囲まれた開口する収納部に、シート状物が巻かれたロール状物品を収納し、上記後面板の上縁から蓋板が連設されたロール状物品収納箱に関する。
【背景技術】
【０００２】
従来、この種のロール状物品収納箱としては、前面板の上縁に、収納部内へ完全に折り込まれて該前面板の内面に沿う補強板が連設され、その補強板の端縁には、その先端に向かうほど側面板（端面板）から離れるように折目線を形成し、この折目線を介して外側に向かって延びる固定片が設けられ、この固定片は、前面板の内面両端部で収納部内に延びて、その先端が側面板の内面に当接し、該固定片の下縁は、ラップフィルムを巻回したロールの端部外周面に当接し、その下縁の外形がその外周面に沿う弧状であるので、ロールが飛び出さないように固定し得るものがある（例えば、特許文献１参照）。
また、前面板（正面板）の上縁に連設されて該前面板の内面に接着される補強板（正面補強内面折込板）と、前面板の両側縁に連設された側面板との間に、収納部（収納箱本体）内に延びるロール保持板を連設することにより、ロール状物品の飛び出しが防止され、これら補強板とロール保持板の連設部に、穴または切り込みからなるストレス吸収部を設けることにより、補強板の折り込みと側面板の折り込みによって連設部に生じるストレスがストレス吸収部に吸収され、連設部の皺や変形を防止するようにしたものものある（例えば、特許文献２参照）。
【０００３】
【特許文献１】特開２００５−４７５１０号公報（第４−６頁、図２−４）
【特許文献２】特開２００７−２８４１４６号公報（第６−９頁、図２−８）
【発明の開示】
【発明が解決しようとする課題】
【０００４】
しかし乍ら、このような従来のロール状物品収納箱では、前面板の内面に沿って折り込まれる補強板に、ロール飛び出し防止手段の固定片やロール保持板が設けられるため、補板を備えていないロール状物品収納箱には採用できないという問題があった。
【０００５】
本発明は、側面板の内面箇所のみで収納部からのロール状物品の飛び出しを防止し、飛び出し防止効果の持続を可能とし、ロール状物品収納箱の製函ラインの折り込み工程を何ら変更することなくロール飛び出し防止手段を確実に製作するとともに、製函ラインで折曲片が引っ掛かることを防止しすることを目的としたものである。
【課題を解決するための手段】
【０００６】
前述した目的を達成するために、本発明は、底板（１）と前面板（２）と後面板（３）及び両側面板（４）で囲まれた開口する収納部（Ａ）に、シート状物（Ｓ）が巻かれたロール状物品（Ｒ）を収納し、上記後面板（３）の上縁から蓋板（５）が連設されたロール状物品収納箱において、
前記側面板（４）の内面に沿って折り込まれる一対の連結片（６，７）を、前記前面板（２）及び後面板（３）に折目線（ｄ）を介して連設し、これら連結片（６，７）のどちらか一方に折曲片（１１）を、両連結片（６，７）の折り込みに伴い前記収納部（Ａ）内へ向け突出状に折れ曲がるように上記側面板（４）の幅寸法よりも長く形成し、
前記連結片（６，７）のどちらか一方と折曲片（１１）との間には、これら両連結片（６，７）の折り込みに伴い該折曲片（１１）が連結片（６，７）のどちらか一方と分離して前記収納部（Ａ）内へ向け突出状に折れ曲がるように切目線（ｇ）、及び、前記切目線（ｇ）の途中に、前記連結片（６，７）のどちらか一方と折曲片（１１）を部分的に繋ぐ連結部（ｈ）を設けることにより、
前記側面板（４）の内面に、前記収納部（Ａ）内へ突出するように折り曲げられて前記ロール状物品（Ｒ）の端部外周面と当接する折曲片（１１）を設けるとともに、
前記両側面板（４）の先端には、その内面を前記折曲片（１１）の上端縁（１１ｃ）に当接させる折り込みフラップ（１３）が連設されてなることを特徴とする。
【発明の効果】
【０００７】
本発明は、側面板の内面に、収納部内へ突出するように折り曲げられてロール状物品の端部外周面と当接する折曲片を設けることにより、シート状物を引き出す時にロール状物品が浮上がり移動しても、その端部外周面が上記折曲片に当接してそれ以上の浮上がり移動が規制される。
従って、側面板の内面箇所のみで収納部からのロール状物品の飛び出しを防止することができる。
その結果、前面板の内面に沿って折り込まれる補強板にロール飛び出し防止手段が設けられる従来のものに比べ、補強板を備えていないロール状物品収納箱にも採用できて、汎用性に優れる。
【０００８】
本発明は、側面板の内面に沿って折り込まれる一対の連結片を、前面板及び後面板に折目線を介して連設し、これら連結片のどちらか一方に折曲片を、両連結片の折り込みに伴い収納部内へ向け突出状に折れ曲がるように上記側面板の幅寸法よりも長く形成することにより、連結片のどちらか一方から部分的に突出する折曲片が、両連結片の折り込みに伴い収納部内へ向け突出する。
従って、ロール状物品収納箱の製函ラインの折り込み工程を何ら変更することなくロール飛び出し防止手段を製作することができる。
その結果、製函ラインの折り込み工程を変更する必要がないため、製造コストが高くならず、経済的である。
【０００９】
本発明は、連結片のどちらか一方と折曲片との間に、これら両連結片の折り込みに伴い該折曲片が連結片のどちらか一方と分離して収納部内へ向け突出状に折れ曲がるように切目線を設けることにより、連結片のどちらか一方を折り込んでから他方を折り込むと、切目線に沿ってフリー状態となった折曲片が収納部内へ向け突出状に折れ曲がる。
従って、ロール飛び出し防止手段を確実に製作することができる。
その結果、ロール飛び出し防止手段の製作不良が発生しないため、それによる製造コストの低減化も図れる。
【００１０】
本発明は、切目線の途中に、連結片のどちらか一方と折曲片を部分的に繋ぐ連結部を設けることにより、これら連結片のどちらか一方と折曲片が一体化され、製函ラインでロール状物品収納箱を移動しながら連結片や側面板など自動的に折り込むと共に、その中にロール状物品を挿入する場合には、上記連結片のどちらか一方と折曲片が一体的に移動する。
従って、製函ラインで折曲片が引っ掛かることを防止することができる。
その結果、自動製函ラインにおけるロール状物品収納箱の詰まりなどの作動不良を防止できる。
本発明は、両側面板の先端には、その内面を折曲片の上端縁に当接させる折り込みフラップが連設されてなるものであり、組立て後の状態で、上記フラップが、折曲片の上端縁沿いに折り込まれて当接するため、該折曲片の形状が保持されて、シート状物Ｓを引き出した時に浮き上がるロール状物品Ｒから受ける衝撃による損傷が効果的に防止されて、折曲片が損傷され難く、飛び出し防止効果の持続が可能となる。
【発明を実施するための最良の形態】
【００１１】
本発明のロール状物品収納箱の実施形態は、図１〜図５に示す如く、底板１と前面板２と後面板３及び左右の両側面板４で囲まれた上面が開口した直方体状の収納部Ａを有し、この収納部Ａの中に、シート状物Ｓが巻かれたロール状物品Ｒを収納すると共に、その上面開口を覆うために上記後面板３の上縁から蓋板５を連設して、開閉可能な蓋体Ｂが一体的に形成されるものである。
【００１２】
その製造方法としては、製函工程で例えば厚紙や板紙などのブランクが、図１又は図５に示す展開図のように打抜かれ、図３に示す如く、サックマシンなどにより胴貼りされたからなるカートンＣを開函し、その中に上記ロール状物品Ｒを挿入しながら、クロージングして仕上げることが好ましい。
【００１３】
上記収納部Ａは、底板１の前後に連設された前面板２及び後面板３を夫々折目線ｄで上方に折り曲げて底板１より立ち上げ、これら前面板２及び後面板３の左右両端縁より夫々外側に向かって連設された連結片６，７を、内側へ折り込んで重ね、底板１の左右両端縁より外側に向かって連設された両側面板４を折目線ｄで上方に折り曲げて底板１より立ち上げ、各側面板４の内面を、上記の折り重ねられた連結片６，７の外面に貼付し、上面が開口した収納部Ａを構成している。
【００１４】
上記蓋体Ｂの蓋板６は、上記後面板３の上縁から折目線ｄを介して蓋板５が連設され、この蓋板５の先端縁から折目線ｄを介して、上記前面板２を覆う蓋前面板８が連設され、また該蓋板５の左右両端縁には、蓋側面板９が夫々連設されて、上記蓋前面板８の左右両端縁に夫々連設された連結片１０が、その蓋側面板９の内側に貼付される。
【００１５】
上記蓋前面板８には、横方向全長に亘るミシン目による切目線ｅが設けられて、図１に示す如く、該蓋前面板８の切目線ｅより下方が上記前面板２に接着され、該切目線ｅで蓋前面板８を上下方向に切り離すことにより、この切目線ｅから上部の蓋前面板８及び蓋板６が前面板２から離れて、上記後面板３に対し折目線ｄを介して回動可能となるため、収納部Ａの上面開口が開閉される。
【００１６】
更に、上記蓋前面板８の切目線ｅを挟んで蓋板５側の切断面には、その切断面から外方へ突出するように切刃ｆが設けられて、上記シート状物Ｓの切断に使用される。
このシート状物Ｓは、例えばラッピングフィルム又はアルミホイルなどの金属箔若しくはクッキングペーパーなどの連続する帯状体であり、円筒状に形成された巻芯Ｔに巻き付けることで上記ロール状物品Ｒを構成することが好ましい。
【００１７】
そして、このロール状物品Ｒに巻かれたシート状物Ｓの引き出しにより上方へ浮上がり移動する該ロール状物品Ｒの飛び出し防止手段として、上記側面板４の内面には、上記収納部Ａ内へ突出するように折り曲げられる折曲片１１を設けて、この折曲片１１を該ロール状物品Ｒの左右端部外周面と当接させる。
【００１８】
この折曲片１１は、上記連結片６，７のどちらか一方に、後述するカートンＣの左右開口Ｃ１及びそれを覆う上記側面板４の幅寸法よりも長く形成されて、その先端部１１ａを上記連結片６，７のどちらか一方の先端縁から突出させ、これら両連結片６，７の折り込みに伴って該折曲片１１を上記収納部Ａ内へ向け突出状に折れ曲がるようにすることが好ましい。
【００１９】
更に、この折曲片１１と上記連結片６，７のどちらか一方との間には、切目線ｇが設けられ、この切目線ｇを上記収納部Ａの上面開口内に収納されるロール状物品Ｒの左右端部外周面よりも上方に配置することにより、上記両連結片６，７の折り込みに伴い該折曲片１１が連結片６，７のどちらか一方と分離して、上記収納部Ａ内へ向け突出状に折れ曲がるようにすることが好ましい。
【００２０】
また、この切目線ｇの途中には、上記連結片６，７のどちらか一方と折曲片１１を部分的に繋ぐ連結部ｈを設けて一体化することにより、上述したカートンＣを移動しながら連結片６，７や側面板４などを折り込むと共に、その中にロール状物品Ｒを挿入する際には、これら連結片６，７のどちらか一方と折曲片１１を一体状態にして移動させることが好ましい。
以下、本発明の各実施例を図面に基づいて説明する。
【実施例１】
【００２１】
この実施例１は、図１〜図４に示す如く、前記前面板２の上縁に折目線ｄを介して補強板１２が連設され、この補強板１２を折目線ｄに沿って折り返し、前面板２の内面に接着することで、前面板２の強度を向上させ、また前記シート状物Ｓとしてラッピングフィルムを巻芯Ｔに巻き付けることで前記ロール状物品Ｒを構成したものである。
【００２２】
そして、前記後面板３の左右両端縁に折目線ｄを介して夫々連設される連結片６の上端部分に前記折曲片１１を、この後面板３の左右両端縁から突出するように形成し、図３に示す如く、先ず、この連結片６が前記カートンＣの左右開口Ｃ１を覆うように折り込まれ、これに続き、前記前面板２の左右両端縁に折目線ｄを介して夫々連設した連結片７が折り込まれる。
その後、図４（ａ）に示す如く、これら連結片６，７の外側に前記側面板４を折り込んで重ね合わせ貼付している。
【００２３】
また、その他の例として、図示しないが、前面板２の左右両端縁に夫々連設される連結片７の上端部分に折曲片１１を、この前面板２の左右両端縁から突出するように形成し、該前面板２がカートンＣの左右開口Ｃ１を覆うように折り込まれた後に、後面板３の左右両端縁に夫々連設される連結片６を折り込んで重ね合わせるようにすることも可能である。
【００２４】
更に、上記折曲片１１には、これら両連結片６，７の折り込みに伴い該折曲片１１が上記収納部Ａ内へ向けて略くの字型又はＶ字型に折れ曲がって突出するように予め折目線ｄを入れておくことが好ましい。
この折曲片１１が突出する位置は、上記収納部Ａの奥行き寸法（前後方向寸法）の中間位置よりも前面板２に接近させて配置すると共に、この収納部Ａの奥行き寸法よりも小径なロール状物品Ｒを収納して、該ロール状物品Ｒを収納部Ａ内で前後方向へ移動可能にすることが好ましい。
【００２５】
上記折曲片１１に沿って形成される切目線ｇは、前記収納部Ａの上面開口内に収納されるロール状物品Ｒの巻芯Ｔの左右端部外周面に沿って略円弧状に形成して、該折曲片１１の下端縁１１ｂが巻芯Ｔの左右端部外周面と対向し当接させることが好ましい。
【００２６】
更にまた、前記底板１の左右両端縁に連設された両側面板４の先端には、折目線ｄを介して夫々折り込みフラップ１３が連設され、図４（ｂ）に示す組立て後の状態で、このフラップ１３が上記折曲片１１に沿って折り込まれ、その内面を該折曲片１１の上端縁１１ｃに当接させることが好ましい。
【００２７】
次に、斯かるロール状物品収納箱の作用効果について説明する。
先ず、図３に示す如く、製函工程で上記カートンＣの左右開口Ｃ１から突出する後面板３の左右両端縁に連設された連結片６を折り込み、これに続いて、その外側から前面板２の左右両端縁に連設された連結片７を折り込んで重ね合わせる。
【００２８】
これに伴って、この連結片６の上端部分に形成した折曲片１１は、カートンＣの左右開口Ｃ１の幅寸法よりも長いため、その先端部１１ａが連結片７で押され、切目線ｇに沿ってフリー状態となった折曲片１１が、該連結片６と位置ズレして折目線ｄから略くの字型又はＶ字型に折れ曲がり、図４（ａ）に示す如く、上記収納部Ａ内へ向けて突出する。
この際、上記切目線ｇの途中に設けられる連結部ｈは、折曲片１１の位置ズレ方向へ引張られて変形するが、この時点で切断されたとしても、折曲片１１は折れ曲がって収納部Ａ内へ向けて突出する。
【００２９】
それにより、図４（ｂ）に示す如く、収納部Ａの中に上記ロール状物品Ｒを収納すると、その巻芯Ｔの左右端部外周面に、上記折曲片１１の下端縁１１ｂが対向する。
この状態で、ロール状物品Ｒの巻芯Ｔからラッピングフィルムなどのシート状物Ｓを引き出すことにより、巻芯Ｔが上方へ浮上がり移動しても、その端部外周面が上記折曲片１１の下端縁１１ｂに当接してそれ以上の浮上がり移動が規制され、収納部Ａからロール状物品Ｒが飛び出すことはない。
【００３０】
更に、本実施例では、図４（ｂ）に示す組立て後の状態で、上記両側面板４の先端に連設したフラップ１３が、折曲片１１の上端縁１１ｃ沿いに折り込まれて当接するため、該折曲片１１の形状が保持されて、シート状物Ｓを引き出した時に浮き上がるロール状物品Ｒから受ける衝撃による損傷が効果的に防止されて、折曲片１１が損傷され難く、飛び出し防止効果の持続が可能となるという利点がある。
【００３１】
また、折曲片１１の突出位置を、収納部Ａの奥行き寸法の中間位置よりも前面板２に接近させて配置すると共に、この収納部Ａの奥行き寸法よりも小径なロール状物品Ｒを収納して、該ロール状物品Ｒを収納部Ａ内で前後方向へ移動可能にしたため、ロール状物品Ｒの位置を後面板３へ向けズラすことにより、該折曲片１１が突出したままの状態でも、ロール状物品Ｒが収納部Ａの内外へ自由に出し入れ可能になるという利点もある。
【実施例２】
【００３２】
この実施例２は、図５に示す如く、前記前面板２の上縁に折目線ｄを介して補強板１２が連設されない構成が、前記図１〜図４に示した実施例１とは異なり、それ以外の構成は図１〜図４に示した実施例１と同じものである。
【００３３】
従って、図４に示す実施例２も、上述した実施例１と同様な作用効果が得られ、補強板１２を備えていないロール状物品収納箱にも採用できるという利点がある。
【００３４】
尚、前示実施例では、前記シート状物Ｓとしてラッピングフィルムを巻芯Ｔに巻き付けることでロール状物品Ｒを構成し、この巻芯Ｔの左右端部外周面に折曲片１１を夫々当接させることで、該ラッピングフィルムＳの引き出しに伴う巻芯Ｔの飛び出しを防止したが、これに限定されず、ラッピングフィルムに代えてアルミホイルなどの金属箔又はクッキングペーパーなどの連続する帯状体を巻芯Ｔに巻き付けても良い。
また、巻芯Ｔを用いずにシート状物Ｓがロール状に巻き付けられるロール状物品Ｒであっても、その左右端部外周面に折曲片１１を夫々当接させても上述した実施例１，２と同様な作用効果が得られる。
更に、ロール状物品Ｒ又は巻芯Ｔの左右端部外周面のどちらか一方のみに折曲片１１を当接させただけでも良い。
【図面の簡単な説明】
【００３５】
【図１】本発明のロール状物品収納箱の一実施例を示す斜視図である。
【図２】ロール状物品収納箱の展開図である。
【図３】ロール状物品収納箱の組立て途中を示す部分的な斜視図である。
【図４】ロール状物品収納箱の組立て後を示す部分的な斜視図であり、（ａ）がロール状物品が収納されていない空状態を示しており、（ｂ）がロール状物品を収納した状態を示している。
【図５】本発明のロール状物品収納箱の他の実施例を示す展開図である。
【符号の説明】
【００３６】
１  底板                            ２  前面板
３  後面板                          ４  側面板
５  蓋板                            ６，７  連結片
１１  折曲片                        Ａ  収納部
Ｓ  シート状物                      Ｒ  ロール状物品
ｄ  折目線                          ｇ  切目線
ｈ  連結部
【図１】
0005337390.tif 000002
【図２】
0005337390.tif 000003
【図３】
0005337390.tif 000004
【図４】
0005337390.tif 000005
【図５】
0005337390.tif 000006